【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
略四角形のフレームの中に固定壁と移動壁とを対向して設け、両壁の頂上にワークを取り付ける取付部を固定壁と移動壁に対してそれそれ鉛直面内で回動可能に設けるとともに、両取付部にワークとワークの他に板ばねのそれぞれ両端を取り付けて固定壁と移動壁との間に彎曲状態に渡し、移動壁を固定壁に対して遠近させてワークを繰り返し彎曲することを特徴とする彎曲試験機。
【請求項２】
両壁が移動可能な移動壁であり、相手方に遠近させるのが両方又は一方を固定した片方である請求項１の彎曲試験機。
【請求項３】
ワークの両外側にワークと同じ長さの板ばねを取りつけた請求項１又は２の彎曲試験機。
【手続補正２】
【補正対象書類名】明細書
【補正対象項目名】全文
【補正方法】変更
【補正の内容】
【発明の詳細な説明】
【発明の名称】彎曲試験機
【技術分野】
【０００１】
本発明は、携帯電話等の基板や有機ＥＬ等のフレキシブルディスプレーに用いられる薄いガラス板や樹脂板を彎曲させてその耐久度を試験する彎曲試験機に関するものである。
【０００２】
最近の携帯電話はますます薄くなってきている。それに伴って中の基板も当然に薄くなっている。ところが、薄くなると彎曲は過酷になり、基板が傷付くようなことがある。ここで、彎曲とは曲りの一様な彎曲のことで、上記した基板等はこのような彎曲の下で使用されることがある。このため、使用前にテストを行うが、特に彎曲させたときに正常に機能するかが問題となる。従来は、手で彎曲させて適否を判断していた。しかし、彎曲の曲率半径も違えば、弧長(彎曲部の長さ)も違うものを一々手でやっていては効率的ではない。ただ、彎曲を機械でやろうと思えばできないことはないが、やり方によってはできないことがある。
【０００３】
彎曲を機械でする装置として下記特許文献１に示されるものがある。しかし、この先行文献に示されるものは面状体の曲げに関するものであるが、被試験体を単に屈曲させるだけのもので一様に彎曲させるものではない。また、彎曲の曲率半径を変えてテストできるものでもない。
【先行技術文献】
【特許文献】
【０００４】
【特許文献１】特願２０１１−１９４８３１号公報
【発明の概要】
【発明が解決しようとする課題】
【０００５】
本発明は、この彎曲試験を機械でできるようにしたもので、これにおいて、彎曲の曲率半径や弧長が違っていても、わずかな調整で機械が作動できるようにしたものである。
【課題を解決するための手段】
【０００６】
以上の課題の下、本発明は、請求項１に記載した、略四角形のフレームの中に固定壁と移動壁とを対向して設け、両壁の頂上にワークを取り付ける取付部を固定壁と移動壁に対してそれぞれ鉛直面内で回動可能に設けるとともに、両取付部にワークとワークの他に板ばねのそれぞれ両端を取り付けて固定壁と移動壁との間に彎曲状態に渡し、移動壁を固定壁に対して遠近させてワークを繰り返し彎曲することを特徴とする彎曲試験機を提供したものである。
【０００７】
本発明は、これにおいて、請求項２に記載した、両壁が移動可能な移動壁であり、相手方に遠近させるのが両方又は一方を固定した片方である構成、請求項３に記載した、ワークの両外側にワークと同じ長さの板ばねを取りつけた構成を提供したものである
【発明の効果】
【０００８】
請求項１の発明によれば、固定壁と移動壁に薄いガラス板や樹脂板といったワークを彎曲状態で渡し、移動壁を固定壁に対して遠近させてをワークを繰り返して彎曲するものである。このとき、ワークの彎曲の曲率半径等の形状要件を変えることがあるが、移動壁を移動させるアクチュエータによるストロークと両壁の初期位置を変えること等でそれを可能にする。また、ワークを取り付ける取付部が移動壁又は固定壁に対して鉛直面内で回動可能(相手方に向かって傾動可能なこと)にすることで内部応力を残さずにストローク変化にも対応できるようにしている。さらに、彎曲の速度も調整できなければならないが、アクチュエータの速さを変えることでそれができる。
【０００９】
請求項２の発明によれば、固定壁と移動壁の両方を動かすことで彎曲の形態や曲率半径といった態様性や形状性を多様に変えることができる。請求項３の発明によれば、板ばねは一様な曲率半径で彎曲しようとするから、ワークをこれに倣わせることができる。
【図面の簡単な説明】
【００１０】
【図１】彎曲試験機の斜視図である。
【図２】彎曲試験機の側面図である。
【図３】取付部の付近の拡大側面図である。
【図４】彎曲試験機の他の例の斜視図である。
【図５】彎曲試験機の他の例の側面図である。
【発明を実施するための形態】
【００１１】
以下、本発明の実施の形態を図面を参照して説明する。図１は本発明の試験機の斜視図であるが、概略箱型をしたフレーム１の中の一端側に固定壁２を、中寄りに移動壁３をそれぞれ対向させて設ける。ここで、固定壁２とは文字通り固定されたものであり、移動壁３とは外力によって固定壁２側に近付いたり、遠ざかったりするものである。このため、移動壁３の下方垂れ３aにシリンダ等のアクチュエータを接続できる接続部１３を設けておき、これにアクチュエータ(図示省略)を接続する。
【００１２】
ところで、固定壁２の固定や移動壁３の移動については周知の構造でよいが、本発明では、フレーム１の両サイドにレール１４を貼り付けておき、これにスライダ１５を移動可能に組み付け、スライダ１５に固定壁２と移動壁３とに連なるバー１６、１７を渡す。ただ、固定壁２は動いてはならないので、バー１６からブラケット１８を両側面に降ろし、このブラケット１８をフレーム１にねじ１９等で固定する。これにより、移動壁３のアクチュエータを作動させれば移動壁３は固定壁２に対して遠近する。なお、固定壁２の位置を変えるときにはねじ１９等を調整してブラケット１８の位置を変る。
【００１３】
ワーク４は移動壁３と固定壁２との間にそれぞれ架け渡すが、このときの移動壁３と固定壁２への取り付けは各々の頂上に設けられる点板２２、２３にそれぞれ蝶番９、１０で鉛直面内で回転可能に取り付けられる取付部５、６と、これに固定される押え板７、８とで挟み付けて取り付けている。すなわち、取付部５、６は固定壁２と移動壁３にともに相手方の方向に傾動できるようになっている。ワーク４の両端が両取付部５、６に取り付けられているから、曲率半径によってはワーク４の両端の傾斜角度も違ってくることになり、それに対応するためである。また、ワーク４の内部応力をできるだけ少なくするためである。
【００１４】
この蝶番９、１０は重量を軽くして回動の抵抗を減らす工夫がされている。なお、ワーク４には重量があるから、移動壁３と固定壁２とがワーク４の長さに近い距離だけ離れたときも多少下に垂れた彎曲をしている。図３は要部の側面図であるが、取付部５、６をばね１１で下方に引っ張っている。彎曲の度に取付部５、６が惰性で水平より上に持ち上がらないようにするためであり、動作の高速化に必要なものである。
【００１５】
また、ワーク４の両外側にはワーク４と同じ長さの板ばね１２を取付部５、６にボルト２０で止めて渡し掛けている。板バネ１２は彎曲するときに一様な曲率半径になろうとする性質があり、これにワーク４の彎曲を倣わせることができるからである。つまり、ワーク４の両外側に板ばね１２を設けることでワーク４は一様に彎曲するのである。
【００１６】
以上は、本発明の基本的な形態であるが、この他に種々改変されることがある。その最たるものは、固定壁２を移動壁３と同様に移動させることである。図４、図５にそれを示すが、固定壁２のブラケット１８やねじ１９を廃してその下方垂れ２aに接続部２１を形成し、この接続部２１にアクチュエータを接続するのである。これにより、二つのアクチュエータを同時に作動させれば固定壁２、移動壁３ともに移動するし、このとき、両者の移動速度やストローク或いは方向を変えることで試験の形態の多様性を図ることができる。さらに、一方をロックすれば(ロックする位置も変えられるようにする)片方のみを動かす試験もできる。
【符号の説明】
【００１７】
１    フレーム
２    固定壁
２a    垂れ  
３    移動壁
３a   下方垂れ  
４    ワーク
５    取付部
６    取付部
７    押え板
８    押え板
９    蝶番
１０  蝶番
１１  ばね
１２  板バネ
１３  接続部
１４  レール
１５  スライダ１５
１６  バー
１７  バー
１８  ブラケット
１９  ねじ
２０  ボルト
２１  接続部
２２  天板
２３  天板